【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
アンダーカットを有するヘルメットを製造するための方法において、
−本質的に剛性のある主型（３）上に配置された二次的な比較的剛性のある突出形状部（５）を有する柔軟な切離し型（４）を含む第１型（３，４，５）を準備するステップと、
−軟化可能及び／又は柔軟な気密フィルム又は箔（１）を前記柔軟な気密箔（１）を成形するための前記第１型（３，４，５）上に配置するステップと、
−前記第１型（３，４，５）上の前記柔軟な気密箔（１）を多数の突起（７）と空洞（８）とを有する成形物（１）に成形するステップであって、前記成形物（１）がアンダーカットを呈するようなステップと、
−前記第１型（３，４，５）上の多数の突起（７）と空洞（８）とを有する前記成形物（１）をアンダーカットを有する出発成形品（１，７，８）に固化するステップと、
−前記出発成形品（１，７，８）と前記二次的形状部（５）を有する前記柔軟な切離し型（４）とを前記主型（３）から取り外すステップと、
−前記二次的形状部（５）を有する前記柔軟な切離し型（４）を前記出発成形品（１，７，８）から取り外すステップと、
を含むことを特徴とする方法。
【請求項２】
前記柔軟な気密箔（１）を多数の突起（７）と空洞（８）とを有する成形物（１）に成形する前記ステップは、前記柔軟な気密箔（１）を少なくとも前記切離し型（４）内に配置された真空流路（６）を介して前記第１型（３，４，５）上に真空成形するステップを含むことを特徴とする、請求項１に記載の方法。
【請求項３】
前記柔軟な気密箔（１）を多数の突起（７）と空洞（８）とを有する成形物（１）に成形する前記ステップは、前記柔軟な気密箔（１）を前記第１型（３，４，５）上に加圧成形するステップを含むことを特徴とする、請求項１に記載の方法。
【請求項４】
前記出発成形品（１，７，８）から前記ヘルメットライナ（１０）の最終形状を製造するステップをさらに含むことを特徴とする、請求項１〜３のいずれか一項に記載の方法。
【請求項５】
前記柔軟な気密箔（１）を成形する前記ステップの前に、前記柔軟な気密箔（１）を軟化させるステップをさらに含むことを特徴とする、請求項１〜４のいずれか一項に記載の方法。
【請求項６】
前記柔軟な気密箔（１）を軟化させる前記ステップは、加熱によって行われることを特徴とする、請求項５に記載の方法。
【請求項７】
前記柔軟な気密箔（１）を成形する前記ステップの後、前記第１型（３，４，５）上の前記出発成形品（１，７，８）を冷却及び凝固によって固化させるステップをさらに含むことを特徴とする、請求項１〜７のいずれか一項に記載の方法。
【請求項８】
前記出発成形品（１，７，８）を固化させる前記ステップは、硬化によって行われることを特徴とする、請求項７に記載の方法。
【請求項９】
前記主型（３）が剛性シェル又は重量のある形状の形態において、それ自体が剛性を有することによって、前記主型（３）を剛性のある伸張された状態に維持するステップを含むことを特徴とする、請求項１〜８のいずれか一項に記載の方法。
【請求項１０】
前記主型（３）の内部に流体圧を供給することによって、前記主型（３）を剛性のある伸張された状態に維持するステップを含むことを特徴とする、請求項１〜８のいずれか一項に記載の方法。
【請求項１１】
前記主型（３）と、前記二次的な形状部（５）を有する前記柔軟な型（４）とが、同時に前記出発成形品（１，７，８）から取り外されるステップをさらに含むことを特徴とする、請求項１〜１０のいずれか一項に記載の方法。
【請求項１２】
前記柔軟な気密箔（１）を成形する前記ステップの前に、流体、空気のような気体を供給することによって、前記柔軟な気密箔（１）を前記第１型（３，４，５）の上方に伸張させるステップをさらに含むことを特徴とする、請求項１〜１１のいずれか一項に記載の方法。
【請求項１３】
衝撃吸収ヘルメットライナ（１０）であって、前記ヘルメットライナは、その表面の重要な部分に分布された突出する変形可能で衝撃を吸収する中空ノブ（７）を備える剛性のある層を保護層として具備し、前記中空ノブ（７）は、前記ヘルメットに外部衝撃が加わった場合に圧壊によって変形するように構成され、前記中空ノブを有する前記ヘルメットライナ（１０）は、アンダーカットを呈するようなヘルメットにおいて、
前記中空ノブ（７）を備える前記ヘルメットライナ（１０）は、軟化可能及び／又は柔軟で気密性のある又は気密性のあるフィルム又は箔（１）を、本質的に剛性のある主型（３）上の二次的な比較的剛性のある突出形状部（５）を有する柔軟な切離し型（４）を備える第１型（３，４，５）上に成形し、多数のノブ、すなわち、突起（７）と空洞（８）とを有する成形物（１）を得て、前記第１型（３，４，５）上の前記成形物（１）を出発成形品（１，７，８）に固化することによって、作製されていることを特徴とするヘルメットライナ。
【請求項１４】
ヘルメットを形成する外部シェル（９）を備えていることを特徴とする、請求項１３に記載のヘルメットライナ。
【請求項１５】
前記外部シェル（９）と前記ヘルメットライナ（１０）との間に配置された衝撃吸収性で、弾性のある層（２）をさらに備えていることを特徴とする、請求項１３あるいは１４に記載のヘルメットライナ。
【請求項１６】
ユーザの頭に載るように構成された内部ライナ（１１）をさらに備えていることを特徴とする、請求項１３〜１５のいずれか一項に記載のヘルメットライナ。
【請求項１７】
前記ノブ（７）は、前記ヘルメットライナ（１０）の全体に均一に分布され、略均一な距離で互いに離間して配置されていることを特徴とする、請求項１３〜１６のいずれか一項に記載のヘルメットライナ。
【請求項１８】
ユーザの前頭部（１２）、頭頂部（１３）及び後頭部（１４）を保護するための前記ヘルメットライナ（１０）の部分には、ユーザの側頭部（１５）を保護するための前記ヘルメットライナ（１０）の部分に配置される単位面積当りのノブ（７）の数よりも多い数の単位面積当りのノブ（７）が配置されていることを特徴とする、請求項１３〜１６のいずれか一項に記載のヘルメットライナ。
【請求項１９】
前記ノブ（７）は、略同一の高さを有していることを特徴とする、先行する請求項のいずれか一項に記載のヘルメットライナ。
【請求項２０】
前記ノブ（７）の底面は、前記ノブ（７）の外向面の周縁と異なっていることを特徴とする、先行する請求項のいずれか一項に記載のヘルメットライナ。
【請求項２１】
前記ノブ（７）の底面は、実質的に円形又は楕円形状を有していることを特徴とする、先行する請求項のいずれか一項に記載のヘルメットライナ。
【請求項２２】
前記ノブ（７）は、実質的に切頭円錐の形状を有していることを特徴とする、請求項２１に記載のヘルメットライナ。
【請求項２３】
前記ノブ（７）の前記底面は、実質的に正多角形の形状を有していることを特徴とする、先行する請求項のいずれか一項に記載のヘルメットライナ。
【請求項２４】
前記ノブ（７）は、実質的に切頭角錐の形状を有していることを特徴とする、請求項２２に記載のヘルメットライナ。
【請求項２５】
前記ノブ（７）は、真直ぐに切断され又は傾斜して切断された形状、又は真直ぐに切断された形状と傾斜して切断された形状の組合せを有していることを特徴とする、先行する請求項のいずれか一項に記載のヘルメットライナ。
【請求項２６】
前記ヘルメットライナ（１０）の材料は、プラスチック、金属、又はプラスチックと金属の組合せであることを特徴とする、先行する請求項のいずれか一項に記載のヘルメットライナ。
【請求項２７】
前記ヘルメットライナ（１０）の材料は、熱可塑性プラスチックであることを特徴とする、請求項２６に記載のヘルメットライナ。
【請求項２８】
前記ヘルメットライナ（１０）の材料は、アルミニウム又は鋼であることを特徴とする、請求項２６に記載のヘルメットライナ。
【請求項２９】
前記ヘルメットライナ（１０）の材料は、熱可塑性プラスチックとアルミニウムの組合せであることを特徴とする、請求項２６に記載のヘルメットライナ。
【請求項３０】
アンダーカットを有するヘルメットライナ（１０）を製造するための第１型であって、主型（３）上に配置された二次的な比較的剛性のある突出形状部（５）を有する柔軟な切離し型（４）を備えていることを特徴とする第１型。
【請求項３１】
前記主型（３）は、剛性シェル又は重量のある型の形態にあってそれ自体が剛性を有していることを特徴とする、請求項３０に記載の第１型。
【請求項３２】
前記主型（３）は、一定形状に伸張可能であり、かつ萎縮可能であることを特徴とする、請求項３０に記載の第１型。
【請求項３３】
熱成形用に構成されていることを特徴とする、請求項３０〜３２のいずれか一項に記載の第１型。
【請求項３４】
前記第１型（３，４，５）は、少なくとも切離し型（４）内に配置された真空流路（６）を介する真空成形用に構成されていることを特徴とする、請求項３０〜３３のいずれか一項に記載の第１型。
【請求項３５】
前記真空流路（６）は、さらに前記主型（３）内にも配置されていることを特徴とする、請求項３４に記載の第１型。
【請求項３６】
前記第１型（３，４，５）は、加圧成形用に構成されていることを特徴とする、請求項３０〜３４のいずれか一項に記載の第１型。
【請求項３７】
二次的な突出形状部（５）を有する柔軟な切離し型（４）用の第２型（２０）を製造するための方法であって、前記柔軟な切離し型（４）は、アンダーカットを有するヘルメットライナ（１０）の製造に用いられるような方法において、
−人の頭の上部（１６）、又はヘルメット（２９）又はヘルメット形状（２９）を有する物体の内側（４１）の型を作製することによって、人の頭の上部（１６）の形状に実質的に対応する第１初期型（２１）を製造するステップと、
−所望量のノブ（２２）を所望の分布で前記第１初期型（２１）の全体又は一部に取り付け、第２型（２０）用のテンプレート（２３）を形成するステップと、
−前記テンプレート（２３）を容器（２４）内に配置するステップと
−硬化可能な鋳込み材（２５）を前記テンプレート（２３）を覆うように前記容器（２４）内に注入するステップと、
−前記テンプレート（２３）を含む前記容器（２４）内の前記鋳込み材（２５）を固化し、前記ノブ（２２）の外面に対応する１つ以上の凹部又は空洞（２６）を有する前記第２型（２０）を形成するステップであって、前記凹部（２６）を有する前記第２型（２０）は、二次的な突出形状部（５）を有する前記柔軟な切離し型（４）を製造するように構成されているようなステップと、
−前記第２型（２０）を前記容器（２４）から取り外すステップと、
−前記テンプレート（２３）を前記仕上げられた第２型（２０）から取り外すステップと、
を含むことを特徴とする方法。
【請求項３８】
所望量の距離又は位置調整釘（２７）を所望の分布で前記第２型（２０）内に取り付けるステップをさらに含むことを特徴とする、請求項３７に記載の方法。
【請求項３９】
前記鋳込み材（２５）は、空気との接触又は加熱によって硬化又は凝固する液体又は乾燥状の柔軟材料、エポキシのような熱硬化性プラスチック又は熱硬化性プラスチックと充填材料の組合せであることを特徴とする、請求項３７あるいは３８に記載の方法。
【請求項４０】
前記凹部（２６）を有する前記第２型（２０）と第２相補的初期型（３０）との間の空間の大きさを調整するために、仮ライナ（２８）を前記ヘルメット（２９）又は前記ヘルメット形状（２９）を有する物体の内側に貼り付けるステップと、
前記仮ライナ（２８）を有する前記ヘルメット又はヘルメット形状（２９）を有する前記物体の内側への鋳込みによって、前記第２相補的初期型（３０）を製造するステップと、
をさらに含むことを特徴とする、請求項３７〜３９のいずれか一項に記載の方法。
【請求項４１】
アンダーカットを有するヘルメットライナ（１０）を製造するための二次的な突出形状部（５）を有する柔軟な切離し型（４）用の第２型（２０）であって、
−前記第２型（２０）は、鋳込み材（３１）を受けるように配置された１つ以上の凹部又は空洞と、前記第２型（２０）内に分布されて前記凹部（２６）を有する前記第２型（２０）内の第２相補的初期型（３０）を位置調整するように配置された１つ以上の位置調整釘（２８）とを備え、
−前記第２初期型（３０）は、前記第２型（２０）の直径よりも小さい直径を有し、鋳込み材（３１）を受けるようになっている空間（３１）が前記凹部（２６）を有する前記第２型（２０）と前記第２初期型（３０）との間に形成されるように、前記第２型（２０）に配置されるように設計され、
−前記空間（３１）内の鋳込み材（３１）の固化によって、前記第２初期型（３０）と相補的な形状を有する固定型（３）に配置させる二次的な突出形状部を有する柔軟な切離し型（４）が、形成されていることを特徴とする第２型。
【請求項４２】
アンダーカットを有するヘルメットライナ（１０）を製造するための二次的な突出形状部（５）を有する柔軟な切離し型（４）を製造するための方法において、
−鋳込み材（３２）を第２型（２０）に注入するステップであって、前記第２型（２０）は、１つ以上の凹部又は空洞（２６）と、前記凹部（２６）を有する前記第２型（２０）内に分布されて前記凹部（２６）を有する前記第２型（２０）内の第２相補的初期型（３０）を位置調整するように配置された１つ以上の位置調整釘（２８）とを備えるようなステップと、
−第２初期型（３０）を前記鋳込み材（３２）を含む前記第２型（２０）内に配置し、前記型に対して空間（３１）を形成するようなステップと、
−前記鋳込み材（３２）を二次的な突出形状部（５）を有する前記柔軟な切離し型（４）に固化するステップと、
−前記第２初期型（３０）を前記固化された柔軟切離し型（４）を有する前記第２型（２０）内の前記固化された切離し型（４）から取り外すステップと、
−前記柔軟な切離し型（４）を前記第２型（２０）から引出すステップと、
を含むことを特徴とする方法。